(57)【要約】      （修正有）【課題】極めて簡単な構造で装飾性が高く、安価で容易に製造することができる装飾発光板を提供する。【解決手段】透明表面材１１と、前記透明表面材１１の裏面側に重設され発光用透孔部２５が形成された装飾面材２０と、前記装飾面材２０の前記発光用透孔部２５に配置された発光素子とからなる。また、前記透明表面材１１がガラス板１２であったり、前記装飾面材２０が反射板２１又は色板としてのタイルである場合がある。なお、前記発光素子が保持部材に配置されていて、前記保持部材が前記装飾面材２０の裏面側に着脱自在に取り付けられたり、前記発光素子の発光信号が、物体の接近を検出するための検出手段である赤外線センサー６０からの検出信号に基づいて発せられてもよい。【選択図】図１
0003133630.tif 000002
【実用新案登録請求の範囲】
【請求項１】
透明表面材と、
前記透明表面材の裏面側に重設され発光用透孔部が形成された装飾面材と、
前記装飾面材の前記発光用透孔部に配置された発光素子
とからなる装飾発光板。
【請求項２】
前記透明表面材がガラス板である請求項１に記載の装飾発光板。
【請求項３】
前記装飾面材が反射板又は色板である請求項１又は２に記載の装飾発光板。
【請求項４】
前記色板がタイルである請求項３に記載の装飾発光板。
【請求項５】
前記発光素子が保持部材に配置されていて、前記保持部材が前記装飾面材の裏面側に着脱自在に取り付けられている請求項１ないし４のいずれか１項に記載の装飾発光板。
【請求項６】
前記発光素子の発光信号が、物体の接近を検出するための検出手段からの検出信号に基づいて発せられる請求項１ないし５のいずれか１項に記載の装飾発光板。
【請求項７】
前記透明表面材と装飾面材とによって鏡面体が構成される請求項１ないし６のいずれか１項に記載の装飾発光板。
【考案の詳細な説明】
【技術分野】
【０００１】
この考案は、装飾発光板に関し、特に発光用透孔部が形成された装飾面材を有する装飾発光板に関する。
【背景技術】
【０００２】
従来、鏡やタイル等に発光手段を備えた装飾性を高めるための装飾発光板があり、このような装飾発光板の一例として、洗面所や浴室で使用される化粧用鏡の周縁部に模様や図柄を施して、前記鏡の上方に照明装置を設けた公知の化粧用鏡がある。ところが、このような構成の化粧用鏡はありふれていてデザイン性に乏しく、前記鏡の前面側に彫刻を施したり模様を塗装したものは、表面の凹凸に埃が溜まって汚れやすい、時間の経過に伴い塗装が剥げてしまう等の問題がある。また、鏡の上方に配置される照明のみでは暗くなりがちである。
【０００３】
一方、よりデザイン性や施行性を高めることを目的として発光部形状を自由に形成することができる照明装置付き鏡等もある（例えば、特許文献１参照）。この照明装置付き鏡は、有機エレクトロルミネッセンスシート（有機ＥＬ）等の面状の発光体を鏡面部を構成する透明部の背面側に配置して形成されたものである。
【０００４】
しかしながら、上記のような装飾発光板にあっては、面状の発光体としての有機ＥＬが湿気に弱いために設置する場所が限られることや、コストが高くなること等が懸念される。
【特許文献１】特開平９−９４１４３号公報
【考案の開示】
【考案が解決しようとする課題】
【０００５】
この考案は前記の点に鑑みなされたものであり、極めて簡単な構造で装飾性が高く、安価で容易に製造することができる装飾発光板を提供するものである。
【課題を解決するための手段】
【０００６】
すなわち、請求項１の考案は、透明表面材と、前記透明表面材の裏面側に重設され発光用透孔部が形成された装飾面材と、前記装飾面材の前記発光用透孔部に配置された発光素子とからなる装飾発光板に係る。
【０００７】
また、請求項２の考案は、前記透明表面材がガラス板である請求項１に記載の装飾発光板に係る。
【０００８】
請求項３の考案は、前記装飾面材が反射板又は色板である請求項１又は２に記載の装飾発光板に係る。
【０００９】
請求項４の考案は、前記色板がタイルである請求項３に記載の装飾発光板に係る。
【００１０】
請求項５の考案は、前記発光素子が保持部材に配置されていて、前記保持部材が前記装飾面材の裏面側に着脱自在に取り付けられている請求項１ないし４のいずれか１項に記載の装飾発光板に係る。
【００１１】
請求項６の考案は、前記発光素子の発光信号が、物体の接近を検出するための検出手段からの検出信号に基づいて発せられる請求項１ないし５のいずれか１項に記載の装飾発光板に係る。
【００１２】
請求項７の考案は、前記透明表面材と装飾面材とによって鏡面体が構成される請求項１ないし６のいずれか１項に記載の装飾発光板に係る。
【考案の効果】
【００１３】
請求項１の考案に係る装飾発光板によれば、透明表面材と、前記透明表面材の裏面側に重設され発光用透孔部が形成された装飾面材と、前記装飾面材の前記発光用透孔部に配置された発光素子とからなるため、極めて簡単な構成で容易に製造することができる。
【００１４】
請求項２の考案によれば、請求項１において、前記透明表面材がガラス板であるため、装飾発光板の表面が傷つきにくく、透明性が高くて外観が優れている。また、耐水性や耐候性が向上する。
【００１５】
請求項３の考案によれば、請求項１又は２において、前記装飾面材が反射板又は色板であるため、より装飾性が高い。
【００１６】
請求項４の考案によれば、請求項３において、前記色板がタイルであるため、装飾性が高く、耐水性や耐候性に優れている。
【００１７】
請求項５の考案によれば、請求項１ないし４のいずれか１項において、前記発光素子が保持部材に配置されていて、前記保持部材が前記装飾面材の裏面側に着脱自在に取り付けられているため、交換などの際の発光素子の取付あるいは取り外し作業を極めて容易に行うことができる。
【００１８】
請求項６の考案によれば、請求項１ないし５のいずれか１項において、前記発光素子の発光信号が、物体の接近を検出するための検出手段からの検出信号に基づいて発せられるため、発光素子を極めて簡単に発光させることができて利便性が高い。
【００１９】
請求項７の考案によれば、請求項１ないし６のいずれか１項において、前記透明表面材と装飾面材とによって鏡面体が構成されるため、鏡として使用することができると共に、発光用透孔部からの発光によって、装飾用発光板の正面側の対象物に対するより高い照明効果を期待できる。
【考案を実施するための最良の形態】
【００２０】
以下添付の図面に従ってこの考案を詳細に説明する。
図１はこの考案の一実施例に係る装飾発光板の全体概略正面図、図２は図１の２−２線で切断した要部の拡大断面図、図３は同装飾発光板における反射板の裏面側の斜視図、図４は保持部材を反射板の裏面側に取り付ける状態を示す断面図、図５は別の実施例を示す全体概略正面図、図６はこの考案の実施例の発光装飾板の回路図、図７は他の実施例を示す概略正面図である。
【００２１】
図１及び図２に示すように、この考案の実施例に係る装飾発光板１０は、透明表面材１１と、前記透明表面材１１の裏面側に重設され発光用透孔部２５が形成された装飾面材２０と、前記装飾面材２０の前記発光用透孔部２５に配置された発光素子３０とからなる。なお、図１において、符号６０は検出手段である赤外線センサー、及び符号１５は鏡面体である。
【００２２】
透明表面材１１は、透明であって透光可能であれば材質は特に限定されず、ポリエチレンテレフタレート（ＰＥＴ）樹脂、アクリル樹脂、塩化ビニリデン樹脂及びポリカーボネート樹脂等よりなる合成樹脂板やガラス板等が挙げられる。なかでも、図１に示されるように、実施例では透明表面材１１として、表面に傷がつきにくく、防水性や耐薬品性に優れる長方形状のガラス板１２が使用される。また、カケ防止や安全のため、ガラス板１２の周縁部１３は面取り加工が施されている。なお、前記透明表面材１１は無色透明でなくてもよく、適宜着色されていてもよい。
【００２３】
装飾面材２０は、前記透明表面材１１の裏面側に重設され発光用透孔部２５が形成される。装飾面材２０の材質は特に限定されず、アクリル樹脂、アクリロニトリル・ブタジエン・スチレン樹脂（ＡＢＳ樹脂）、ポリプロピレン樹脂等の合成樹脂、木材、紙材、陶磁器などよりなる板材や、前記板材の表面に着色されたり絵や模様等の図柄が施された色板等が挙げられる。また、装飾面材２０は反射板でもよく、例えば、透明表面材１１の裏面側に銀等の金属薄膜を蒸着により積層するなどして形成されたり、ステンレス等の金属鏡面板が透明表面材１１の裏面側に配置されてもよい。このような装飾板２０は、装飾発光板１０の正面側から前記透明表面材１１を通して視認することができる。
【００２４】
加えて、透明表面材１１と装飾面材２０とによって鏡面体が構成される場合には、鏡として利用することが可能である。この実施例では、図１及び図２に示されるように、装飾発光板１０は、透明表面材１１であるガラス板１２の裏面側に装飾面材２０として銀鏡膜等の反射板２１が積層されて鏡面体１５が形成されている。なお、反射板の背面側には適宜保護膜等が設けられてもよい。
【００２５】
また、図５の別の実施例１０Ａとして示すように、前記装飾面材２０である色板としてタイル２３が用いられてもよい。タイルは耐水性や耐候性が高いので発光装飾板の設置場所が限定されにくい。また、施釉タイルでも無釉タイルが用いられてもよく、施釉タイルなどは表面光沢により発光素子からの光を効果的に反射するなどして装飾性が高められることが期待される。この他、表面は無地であったり、スクラッチ等の凹凸、模様、絵あるいは図柄などが形成されていてもよい。なお、図５の装飾発光板１０Ａにおいて、上述の装飾発光板１０の実施例と同一の符号のものは同一の構成を表すものとしてその説明は省略する。以下の実施例についても同様である。
【００２６】
次に、図１及び図２に示されるように、装飾面材２０に形成される発光用透孔部２５は、発光素子３０がそこから発光できるように形成される。実施例では、図１の装飾面材２０に円形形状の発光用透孔部２５が装飾面材２０の両側部、左右対称に複数箇所形成され、発光素子３０が装飾面材２０の裏面側に配置されて発光用透孔部２５より発光されるように配設される（図２参照）。なお、発光用透孔部の形状や数は限定されず、図７に示されるような装飾発光板１０Ｂ，１０Ｃ，１０Ｄの発光用透孔部２５のように、装飾発光板を構成する透明表面材及び装飾面材の形状や大きさに対応させるなどして適宜形成される。
【００２７】
このように、装飾面材２０に発光用透孔部２５が形成されることで、最前面側に配置される透明表面材１１の表面に凹凸ができず平滑な状態であるため汚れにくく、汚れが付着しても容易に拭き取ることができる。また、発光用装飾板１０を洗面所や浴室などにおいて化粧鏡として使用するときには、従来のように照明装置を鏡の上方に設けるのではなく、発光用透孔部２５を装飾面材２０に設けるので、装飾発光板の前面側の対象物に対してより高い照明効果を期待できる。なお、図５に示す別の実施例である装飾発光板１０Ａのように、装飾面材がタイル２３であるような場合には、タイルの目地２４に発光用透孔部２５が形成されても構わない。
【００２８】
発光素子３０は、前記装飾面材２０に備えられる発光用透孔部２５に配置される。発光素子３０は発光用透孔部２５から発光可能に設けられ、例えば、発光素子が発光用透孔部に挿入されたり、装飾面材の背面側に保持されたりするなどして配設される。発光素子３０は、特に限定されず、発光ダイオード（ＬＥＤ）や豆電球等が挙げられる。また、複数配置される発光素子３０による発光色は適宜異なるようにしてもよく、三色ＬＥＤや単色ＬＥＤを組み合わせて使用することもできる。なお、発光素子３０はタイマー等を用いて定期的あるいは周期的に発光させたり、特定の発光素子を順次発光、点滅させたりしてもよい。
【００２９】
また、図３の実施例に示されるように、発光素子３０は保持部材４０に配置されていて、前記保持部材４０が前記装飾面材である反射板２１の裏面側に着脱自在に取り付けられるように構成されていてもよい。図示の如く、反射板２１の裏面側には、発光素子３０が保持された保持部材４０，４０が左右対象に２条設けられている。これら保持部材４０，４０は、同一構成であるので、以下一方のみを説明する。なお、図３において、符号１９は背面板１７を反射板２１側に固定するための取付部材である。また、発光素子３０の配線は図示を省略する。
【００３０】
まず、図４から理解されるように、発光素子３０は図示しない抵抗器等とともに支持板４５に保持され、さらに、前記支持板４５は、保持部材４０の本体部４１の図中下側に固着される。また、前記保持部材４０は本体部４１の両端側に凹溝部４２，４２が備えられる。一方、反射板２１の裏面側には、図３及び図４に示されるように、保持部材４０を脱着可能な取付レール部材５０，５０が、前記保持部材４０の両端に形成された凹溝部４２，４２に対応させて反射板の２１裏面側に２条固着される。また、前記取付部材５０，５０には、各々挿入突部５１，５１が形成される。
【００３１】
続いて、保持部材４０を装飾面材２０である反射板２１の裏面側に脱着する方法を説明する。まず、保持部材４０を反射板２１に取り付ける際は、図４に示されるように、取付レール部材５０の挿入突部５１が保持部材４０の凹溝部４２に嵌挿される。挿入突部５１の上方に形成された凹凸と、凹溝部４２の内側に形成された凹凸によって、保持部材４０と反射板２１に設けられた取付レール部材５０が確実に嵌合される。保持部材４０が反射板２１の裏側に取り付けられると、図２及び図４からよく理解されるように、反射板２１に形成された発光用透孔部２５の後側に発光素子３０を極めて容易に配置することができ、発光素子３０は前記透孔部２５から確実に発光できる。
【００３２】
また、反射板２１から保持部材４０を取り外すときは、凹溝部４２に嵌挿された挿入突部５１を抜き出して容易に取り外すことが可能である。そのため、発光素子３０が反射板２１に対して着脱自在であり、例えば発光素子３０を交換したいときなどにも、極めて容易に取り外したり組み付け作業を行うことができる。さらに、このように保持部材４０と取付レール部材５０が確実に嵌合されると、発光素子３０が露出されないため、浴室や洗面所等の水気のある場所でも発光装飾板を用いることができ、故障も起きにくい。
【００３３】
そして、前記発光素子３０は、手動で電源スイッチを操作したり、物体の接近や接触を検出するセンサーによって点灯あるいは消灯させたりすることができる。このようなセンサは、赤外線センサーなどの光センサー、超音波センサー、温度センサー、圧力センサー、位置センサー等が挙げられる。この実施例では、図１の装飾発光板１０の図示しない側板の下端部に適宜の貫通孔が設けられ、そこに内側から赤外線センサー６０が配置されている。なお、赤外線センサー６０に接続される図示しないスイッチ、トランス、配線等は装飾面板の背面側の背面板１７に配置される。
【００３４】
この赤外線センサー６０は、物体の接近を検出するための検出手段であって、使用時にそこに手をふりかざしたりすると発光素子の発光状態が切り替わるように設定される。その一例として、図６の回路図を用いて説明すると、まず初めに、ＬＥＤ等の発光素子３０は消灯状態に設定される。人が接近したり手をかざしたりして赤外線センサー６０が物体の接近を検出すると検出信号Ｓ１がスイッチ６１に送信される。スイッチ６１は検出信号Ｓ１を受けてＯＮ状態になり、例えば交流１００Ｖの商用電源６５からの電力がトランス６２により直流に変換されて適宜の抵抗器を介して発光信号Ｓ２として発光素子３０へ供給されることによって、発光、点灯される。なお、発光素子３０を消灯させるには、赤外線センサー６０にもう一度手をかざして、２度目の検出信号が検出されると消灯信号が発せるように設定されたり、図示しないタイマーを用いて例えば１分、５分等の所定時間経過後に消灯するように構成してもよい。
【００３５】
以上述べたように、この考案の装飾用発光板は、当業者の知識に基づいて様々な変更、修正、改良等を加えて実施することが可能である。例えば、装飾発光板を形成する透明表面材及び装飾面材の形状は上記実施例に限定されず、図７に示されるように矩形状（装飾発光板１０Ｃ）、円形状（装飾発光板１０Ｄ）、楕円形状等その大きさ等適宜選択することができる。
【図面の簡単な説明】
【００３６】
【図１】この考案の一実施例に係る装飾発光板の全体概略正面図である。
【図２】図１の２−２線で切断した要部の拡大断面図である。
【図３】同装飾発光板における反射板の裏面側の斜視図である。
【図４】保持部材を反射板の裏面側に取り付ける状態を示す断面図である。
【図５】別の実施例を示す全体概略正面図である。
【図６】この考案の実施例の発光装飾板の回路図である。
【図７】他の実施例を示す概略正面図である。
【符号の説明】
【００３７】
１０，１０Ａ，１０Ｂ，１０Ｃ，１０Ｄ  装飾発光板
１１  透明表面材
２０  装飾面材
２１  反射板
２３  タイル
２５  発光用透孔部
３０  発光素子
４０  保持部材
【図１】
0003133630.tif 000003
【図２】
0003133630.tif 000004
【図３】
0003133630.tif 000005
【図４】
0003133630.tif 000006
【図５】
0003133630.tif 000007
【図６】
0003133630.tif 000008
【図７】
0003133630.tif 000009